【手続補正書】
【提出日】平成17年11月10日(2005.11.10)
【手続補正１】
【補正対象書類名】明細書
【補正対象項目名】特許請求の範囲
【補正方法】変更
【補正の内容】
【特許請求の範囲】
【請求項１】  第１のトランジスタと、
前記第１のトランジスタを介してデータ線から供給される多値のデータ信号に
応じた電荷量を保持する容量素子と、
前記容量素子に保持された電荷量に基づいて導通状態が制御され、その導通状
態に相対した駆動量を電子素子に供給する第２のトランジスタと、
前記第２のトランジスタの導通状態に基づく駆動量の前記電子素子への供給及
び遮断を行う第３のトランジスタと、
を備えた電子回路の駆動方法であって、
前記第３のトランジスタによる遮断タイミングを変更して、前記第２のトラン
ジスタの導通状態に相対した駆動量の前記電子素子への供給期間を変更すること
を特徴とする電子回路の駆動方法。
【請求項２】  請求項１に記載の電子回路の駆動方法において、
前記第３のトランジスタによる遮断タイミングの変更を行うことにより、前記
供給期間は、前記予め定めた値の多値のデータ信号に対して予め定められた供給
期間より短くなることを特徴とする電子回路の駆動方法。
【請求項３】  第１のトランジスタと、
前記第１のトランジスタを介してデータ線から供給される多値のデータ信号に
応じた電荷量を保持する第１の容量素子と、
前記第１の容量素子に保持された電荷量に基づいて導通状態が制御され、その
導通状態に相対した駆動量を電子素子に供給する第２のトランジスタと、
前記駆動量の前記電子素子への供給または遮断を行う第３のトランジスタと
を含む電子回路であって、
前記第３のトランジスタに接続され、同第３のトランジスタの導通または非導
通を制御するために必要な電荷量を保持する第２の容量素子と、
前記第３のトランジスタの導通または非導通を制御する制御信号を前記第２の
容量素子に供給する第４のトランジスタと
を備えたことを特徴とする電子回路。
【請求項４】  請求項３に記載の電子回路において、
前記制御信号は、前記第４のトランジスタを介して前記データ線から供給され
ることを特徴とする電子回路。
【請求項５】  複数の走査線と、複数のデータ線と、複数の単位回路とを含
む電気光学装置であって、
前記複数の単位回路の各々に、前記複数のデータ線を介して多値のデータ信号
を出力するデータ信号生成回路と、
前記複数の単位回路の各々に、前記多値のデータ信号に基づいて動作する同単
位回路の動作の開始と停止を制御する制御信号を出力する制御信号生成回路と
を備え、
前記単位回路には、前記制御信号生成回路からの制御信号を保持する保持手段
を備えたことを特徴とする電気光学装置。
【請求項６】  請求項５に記載の電気光学装置において、
前記制御信号は、前記多値のデータ信号と同一のデータ線を介して供給される
ことを特徴とする電気光学装置。
【請求項７】  請求項５に記載の電気光学装置において、
前記制御信号は、前記多値のデータ信号が供給されるデータ線と異なる信号線
を介して供給されることを特徴とする電気光学装置。
【請求項８】  請求項５に記載の電気光学装置において、
前記単位回路は、
前記走査線が選択されたとき導通する第１のトランジスタと、
前記第１のトランジスタを介してデータ線から供給される多値のデータ信号に
応じた電荷量を保持する第１の容量素子と、
前記容量素子に保持された電荷量に基づいて導通状態が制御され、その導通状
態に相対した駆動量を電子素子に供給する第２のトランジスタと、
前記第２のトランジスタの導通状態に基づく駆動量の前記電子素子への供給ま
たは遮断を行う第３のトランジスタと
前記第３のトランジスタに接続され、同第３のトランジスタの導通または非導
通を制御するために必要な電荷量を保持する第２の容量素子と、
前記第３のトランジスタの導通または非導通を制御する制御信号を前記第２の
容量素子に供給する第４のトランジスタと
からなることを特徴とする電気光学装置。
【請求項９】  請求項８に記載の電気光学装置において、
電子素子は、ＥＬ素子であることを特徴とする電気光学装置。
【請求項１０】  請求項９に記載の電気光学装置において、
前記ＥＬ素子は、発光層が有機材料で構成されていることを特徴とする電気光
学装置。
【請求項１１】  複数の走査線と、複数のデータ線と、複数の単位回路とを
含み、
複数の走査線を順番に選択し、その選択された走査線上の各単位回路に対して
それぞれデータ線を介してデータ信号生成回路から多値のデータ信号をそれぞれ
供給するようにした電気光学装置の制御方法であって、
前記走査線の選択終了から次の新たな走査線を選択する際、それぞれ一定の期
間を空けて選択し、その各期間に、各走査線上の各単位回路に対して動作の開始
または停止を行うように制御することを特徴とする電気光学装置の制御方法。
【請求項１２】  請求項５乃至１０のいずれか一つに記載した電気光学装置
を実装した電子機器。
【手続補正２】
【補正対象書類名】明細書
【補正対象項目名】００１０
【補正方法】変更
【補正の内容】
【００１０】
【課題を解決するための手段】
本発明における電子回路の駆動方法は、第１のトランジスタと、前記第１のト
ランジスタを介してデータ線から供給される多値のデータ信号に応じた電荷量を
保持する容量素子と、前記容量素子に保持された電荷量に基づいて導通状態が制
御され、その導通状態に相対した駆動量を電子素子に供給する第２のトランジス
タと、前記第２のトランジスタの導通状態に基づく駆動量の前記電子素子への供
給及び遮断を行う第３のトランジスタとを備えた電子回路の駆動方法であって、
前記第３のトランジスタによる遮断タイミングを変更して、前記第２のトランジ
スタの導通状態に相対した駆動量の前記電子素子への供給期間を変更する。
なお、本発明において、上記の駆動量とは、例えば、電子素子に印加する電圧
値あるいは供給する電流量または電流値を意味している。
【手続補正３】
【補正対象書類名】明細書
【補正対象項目名】００１２
【補正方法】変更
【補正の内容】
【００１２】
この電子回路の駆動方法において、前記第３のトランジスタによる遮断タイミ
ングの変更を行うことにより、前記供給期間は、前記予め定めた値の多値のデー
タ信号に対して予め定められた供給期間より短くなる。
【手続補正４】
【補正対象書類名】明細書
【補正対象項目名】００１４
【補正方法】変更
【補正の内容】
【００１４】
本発明における電子回路は、第１のトランジスタと、前記第１のトランジスタ
を介してデータ線から供給される多値のデータ信号に応じた電荷量を保持する第
１の容量素子と、前記第１の容量素子に保持された電荷量に基づいて導通状態が
制御され、その導通状態に相対した駆動量を電子素子に供給する第２のトランジ
スタと、前記駆動量の前記電子素子への供給または遮断を行う第３のトランジス
タとを含む電子回路であって、前記第３のトランジスタに接続され、同第３のト
ランジスタの導通または非導通を制御するために必要な電荷量を保持する第２の
容量素子と、前記第３のトランジスタの導通または非導通を制御する制御信号を
前記第２の容量素子に供給する第４のトランジスタとを備えた。
【手続補正５】
【補正対象書類名】明細書
【補正対象項目名】００２１
【補正方法】変更
【補正の内容】
【００２１】
この電気光学装置において、前記単位回路は、前記走査線が選択されたとき導
通する第１のトランジスタと、前記第１のトランジスタを介してデータ線から供
給される多値のデータ信号に応じた電荷量を保持する第１の容量素子と、前記容
量素子に保持された電荷量に基づいて導通状態が制御され、その導通状態に相対
した駆動量を電子素子に供給する第２のトランジスタと、前記第２のトランジス
タの導通状態に基づく駆動量の前記電子素子への供給または遮断を行う第３のト
ランジスタと、前記第３のトランジスタに接続され、同第３のトランジスタの導
通または非導通を制御するために必要な電荷量を保持する第２の容量素子と、前
記第３のトランジスタの導通または非導通を制御する制御信号を前記第２の容量
素子に供給する第４のトランジスタとからなる。
【手続補正６】
【補正対象書類名】明細書
【補正対象項目名】００２５
【補正方法】変更
【補正の内容】
【００２５】
本発明における電気光学装置の制御方法は、複数の走査線と、複数のデータ線
と、複数の単位回路とを含み、複数の走査線を順番に選択し、その選択された走
査線上の各単位回路に対してそれぞれデータ線を介してデータ信号生成回路から
多値のデータ信号をそれぞれ供給するようにした電気光学装置の制御方法であっ
て、前記走査線の選択終了から次の新たな走査線を選択する際、それぞれ一定の
期間を空けて選択し、その各期間に、各走査線上の各単位回路に対して動作の開
始または停止を行うように制御するようにした。